【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
液体通路と、前記液体通路の液体導出端に形成された開口端面とを含む液体導出部と、
前記液体通路内の前記開口端面側に配置されるシール部材と、
前記液体通路内にて前記シール部材の内側に配置され、前記液体通路を閉鎖する弁機構と、
前記液体導出部の前記液体通路及び前記開口端面を覆って配置され、前記開口端面及び前記シール部材に熱溶着される封止フィルムと、
を有し、
前記封止フィルムには、前記液体通路に受け入れられて前記弁機構を閉鎖解除させる液体導出部材を通過させるための切欠部が形成されていることを特徴とする液体シール構造体。
【請求項２】
請求項１において、
前記弁機構は、
前記液体通路内にて、前記シール部材と当接可能に配置された可動の弁体と、
前記弁体を前記シール部材に圧接するように付勢する付勢部材と、
を有し、
前記シール部材は、前記液体導出部材が挿通される以前は、前記弁体が圧接されて前記液体通路を閉鎖する弁座部材として機能し、前記液体導出部材が前記封止フィルムを通過して前記液体通路に挿入された時に、前記液体導出部材により前記付勢部材の付勢力に抗して前記弁体が前記シール部材より離間されて、前記液体通路を開放することを特徴とする液体シール構造体。
【請求項３】
液体が収容された液体収容体と、
前記液体収容体に連結された、請求項１又は２に記載の液体シール構造体と、
を有することを特徴とする液体収容容器。
【請求項４】
請求項３において、
前記液体収容体及び前記液体シール構造体を収容する空間が形成された筐体をさらに有し、
前記筐体は、
前記液体収容体内の液体を圧送するための加圧流体が導入される加圧口と、
前記液体シール構造体の前記開口端面を露出させる開口と、
を有し、
前記封止フィルムは、前記開口の周囲の前記筐体にも熱溶着されていることを特徴とする液体収容容器。
【請求項５】
液体が収容された液体収容体と、
前記液体収容体に連結された液体シール構造体と、を有し、
前記液体シール構造体が、
液体通路と、前記液体通路の液体導出端に形成された開口端面とを含む液体導出部と、
前記液体通路内の前記開口端面側に配置されるシール部材と、
前記液体導出部の前記液体通路及び前記開口端面を覆って配置され、前記開口端面及び前記シール部材に熱溶着される封止フィルムと、
を含む液体収容容器が、市場より回収されて、前記液体収容体内に液体が再充填された再充填液体収容容器であって、
回収前に、液体導出針が前記封止フィルムを介して前記液体通路に受け入れられることで、前記弁機構が閉鎖解除されて前記液体収容体内の液体が導出されており、
前記封止フィルムは、前記開口端面及び前記シール部材との熱溶着が保持されており、
前記封止フィルムに重ねて接合される被覆フィルムをさらに有し、
前記被覆フィルムには、前記液体通路に再度受け入れられる前記液体導出部材を通過させるための切欠部が形成されていることを特徴とする再充填液体収容容器。
【請求項６】
液体が収容された液体収容体と、
前記液体収容体に連結されたシール構造体と、を有し、
前記シール構造体が、
液体通路と、前記液体通路の液体導出端に形成された開口端面とを含む液体導出部と、
前記液体通路内の前記開口端面側に配置されるシール部材と、
前記液体通路内にて前記シール部材の内側に配置され、前記液体通路を閉鎖する弁機構と、
前記液体導出部の前記液体通路及び前記開口端面を覆って配置され、前記開口端面及び前記シール部材に熱溶着される封止フィルムと、
を含む液体収容容器が、市場より回収された後に、前記液体収容体内に液体を再充填する液体収容容器への再充填方法であって、
回収前に、液体導出部材が前記封止フィルムを介して前記液体通路に受け入れられることで、前記弁機構が閉鎖解除されて前記液体収容体内の液体が導出されており、
前記封止フィルムと、前記開口端面及び前記シール部材との熱溶着により前記開口面側でのシールを保持しながら、前記液体収容体内に液体を再充填する工程と、
再充填工程後に、前記封止フィルムを被覆する被覆フィルムを、前記封止フィルムに重ねて接合する工程と、
を有し、
前記被覆フィルムには、再充填後に前記液体通路に再度受け入れられる液体導出部材を通過させるための切欠部が形成されていることを特徴とする液体収容容器への再充填方法。
【手続補正２】
【補正対象書類名】明細書
【補正対象項目名】発明の名称
【補正方法】変更
【補正の内容】
【発明の名称】液体シール構造体、液体収容容器、再充填液体収容容器及びその再充填方法
【手続補正３】
【補正対象書類名】明細書
【補正対象項目名】０００１
【補正方法】変更
【補正の内容】
【０００１】
本発明は、例えばプリンタ用のインクカートリッジ等に好適な液体シール構造体、液体収容容器、再充填液体収容容器及びその再充填方法に関する。
【手続補正４】
【補正対象書類名】明細書
【補正対象項目名】００６５
【補正方法】変更
【補正の内容】
【００６５】
インク導出部３２ｂの導出口３２ｃを形成する内壁の側面３２ｇには、凹部３２ｅが形成される。シール部材３３の外周面３３ｅには、凹部３２ｅと当接する突部３３ｂが形成される。本実施形態において、シール部材３３の位置は、シール部材３３の外面３３ｅ，３３ｄと、インク導出部３２ｂのインク導出口３２ｃを形成する内壁面３２ｇ，３２ｆとが当接することによって決められている。すなわち、シール部材３３の位置は、インク供給針４０の挿入方向については、シール部材３３のフィルムＦ２と当接する面３３ｃとは反対側の面３３ｄと、インク導出部３２の導出口３２ｃを形成する内壁の底面３２ｆとが当接することによって、決められる。一方、インク供給針４０の挿入方向と直交する面方向については、シール部材３３の外周面３３ｅに形成された突部３３ｂと、インク導出口３２ｃの内壁の側面３２ｇに形成された凹部３２ｅとが当接することによって、決められる。
【手続補正５】
【補正対象書類名】明細書
【補正対象項目名】００７４
【補正方法】変更
【補正の内容】
【００７４】
本実施形態では、インク導出部３２ｂがインク袋３２ａと熱溶着されることから、インク導出部３２ｂの材質はインク袋３２ａの材質と同じであることが好ましい。その意味で、本実施形態では、インク袋３２ａ、インク導出部３２ｂ、インクケース３１は、ポリプロピレンまたはポリエチレン等で材質を統一している。封止フィルムＦ２の材質もポリプロピレンまたはポリエチレン等とすれば、上述の溶着を実現することができる。
【手続補正６】
【補正対象書類名】明細書
【補正対象項目名】００８０
【補正方法】変更
【補正の内容】
【００８０】
また、封止フィルムＦ２がインク導出部３２ｂの先端部Ｒ１に対して熱溶着されるため、インク導出部３２ｂのインク導出口３２ｃも密封され、インクパック内部が外部から遮断される。そして、封止フィルムＦ２は、環状突起部Ｒ２と熱溶着されることによりインク導出部３２ｂのインク導出口３２ｃが封止されるので、外部からインク供給針４０を挿入されて弁体３４が開放され、インクパック３２内に気泡を取り込むような問題もない。さらに、封止フィルムＦ２は環状突起部Ｒ２を囲む四方の独立突起部Ｒ３と熱溶着されているため、封止フィルムＦ２が何らかの力が働いて環状突起部Ｒ２から剥がれるのを防止できる。
【手続補正７】
【補正対象書類名】明細書
【補正対象項目名】００９４
【補正方法】変更
【補正の内容】
【００９４】
（第２実施形態）
図６は、第１実施形態とは異なるインク導出部５０の分解斜視図である。図６に示すインク導出部５０は、第１実施形態のインク導出部３２ｂとは外形の形状が異なっている。さらに、本実施形態において、切欠部Ｃを有する封止フィルムＦ２は、インクケースとは溶着されず、インク導出部５０及びシール部材６０にのみ溶着されている。本実施形態はこれらの点においてのみ第１実施形態と異なっており、その他の点については第１実施形態と同様である。なお、図６に示す切欠部Ｃは、第１実施形態と同様に図３に示すような切り込みであってもよい。
【手続補正８】
【補正対象書類名】明細書
【補正対象項目名】００９６
【補正方法】変更
【補正の内容】
【００９６】
インク導出部５０は、開口端面５３よりも高さＬだけ突出している環状の第１溶着代５４を有する。同様に、シール部材６０は、インク導出口５１に挿入された状態で、インク導出部５０の開口端面５３に対して高さＬだけ突出する環状の第２溶着代６２を有する。つまり、第１，第２溶着代５４，６２は面一となる。
【手続補正９】
【補正対象書類名】明細書
【補正対象項目名】０１０９
【補正方法】変更
【補正の内容】
【０１０９】
インクパック１０７のインク導出部１０７ａは、隔壁１０５ａに形成した接続口挿通用の開口１１８を気密に挿通して、図９（ａ）及び図９（ｂ）に示すように先端が検出ユニット収容部１１３内に突出するようになっている。なお、インク導出部材１０７ａは、第２実施形態のインク導出部５０（図６及び図７参照）と同様であるため、その詳細な説明を省略する。
【手続補正１０】
【補正対象書類名】明細書
【補正対象項目名】０１１０
【補正方法】変更
【補正の内容】
【０１１０】
ここで、図８、図９（ｂ）及び図１０に示すように、このインク導出部１０７ａにも、上述した第２実施形態と同じように、切欠部Ｃを有する封止フィルム１０８が溶着される。この封止フィルム１０８は、図６及び図７と同様にして、インク導出部１０７ａの開口端面と、このインク導出部材１０７ａに配置されたシール部材（図示せず）の端面とに溶着されている。これにより、第２実施形態と同様の効果を奏することができる。なお、封止フィルム１０８は、先に第１及び第２実施形態で用いた封止フィルムＦ２と同じであるため、その詳細な説明を省略する。封止フィルム１０８に形成される切欠部は、第１実施形態と同様に、図８に示すような切り込みでなく、図６に示すような孔等であってもよい。
【手続補正１１】
【補正対象書類名】明細書
【補正対象項目名】０１２７
【補正方法】変更
【補正の内容】
【０１２７】
さらに、図１２に示すように、ケース本体１３３ａは、その裏面側で容器本体１０５の取付け部１２３（図９（ａ）参照）に対応する位置に、該取付け部１２３に回転可能に嵌合する容器嵌合部１３５を有する。この容器嵌合部１３５の内側には、インクパック１０７のインク導出部１０７ａに挿入接続する接続針１１１ａが設けられている。この接続針１１１ａは、図８及び図９（ｂ）に示す切欠部Ｃを有する封止フィルム１０８を通過してインク導出部１０７ａ内に挿入される。これにより、インク導出部１０７ａ内の弁機構を開放させてインクの導出が可能になる。つまり、接続針１１１ａは、上述のインク供給針４０と同様、液体導出部材として機能する。前述の内部流路空間１４６と流路形成部材１３３ｃ（図１０及び図１１参照）が形成する流路は、インク導出部１０９と接続針１１１ａとを連通させる内部流路である。
【手続補正１２】
【補正対象書類名】明細書
【補正対象項目名】０１５１
【補正方法】変更
【補正の内容】
【０１５１】
このように、破断された封止フィルムＦ２，１５６を被覆フィルム２００，２２０によって被覆するだけで、封止フィルムＦ２，１５６のシール機能を再利用しながら、第３の実施形態にかかるインクカートリッジ１００を再充填液体収容容器として再利用することが可能となり、回収された液体収容容器の商品価値を担保することができる。
【手続補正１３】
【補正対象書類名】図面
【補正対象項目名】図５
【補正方法】変更
【補正の内容】
【図５】
2008230217.tif 000001